(57)【要約】【課題】特にインク層及びインク層に囲まれた可視領域の色が同一に見える、光を調節可能な装飾パネルを提供する。【解決手段】可視領域と不可視領域を有する表示装置の前方に設置される光を調節可能な装飾パネルであって、支持部材（１０）と、該支持部材（１０）に設けられる偏光板（２０）と、該偏光板（２０）に設けられる装飾部材（３０）とを備え、前記装飾部材（３０）の底面における、前記表示装置の不可視領域と対応する位置にインク層（３１）が設けられることを特徴とする。【選択図】図１
0003152806.tif 000002
【実用新案登録請求の範囲】
【請求項１】
可視領域と不可視領域を有する表示装置の前方に設置される光を調節可能な装飾パネルであって、
支持部材（１０）と、該支持部材（１０）に設けられる偏光板（２０）と、該偏光板（２０）に設けられる装飾部材（３０）とを備え、
前記装飾部材（３０）の底面における、前記表示装置の不可視領域と対応する位置にインク層（３１）が設けられることを特徴とする光を調節可能な装飾パネル。
【請求項２】
前記装飾部材（３０）の上面に反射防止面が設けられることを特徴とする請求項１に記載の光を調節可能な装飾パネル。
【請求項３】
前記装飾部材（３０）の上面に設けられる反射防止面が反射防止コーティングであることを特徴とする請求項２に記載の光を調節可能な装飾パネル。
【請求項４】
更に前記装飾部材（３０）に設置される反射防止板（４０）を備えることを特徴とする請求項１に記載の光を調節可能な装飾パネル。
【請求項５】
前記支持部材（１０）は、上面の周縁部分に電極（１１０）が設けられる下導電層（１１）と、該下導電層（１１）の上方に設けられ、底面の周縁部分に電極（１２０）が設けられる上導電層（１２）と、該上導電層（１２）と下導電層（１１）との間に位置するスペース層（１３）とを含むタッチパネルであり、該上導電層（１２）は、前記偏光板（２０）の底面に設けられることを特徴とする請求項１乃至４のいずれか1項に記載の光を調節可能な装飾パネル。
【請求項６】
前記タッチパネルにおける下導電層（１１）が導電ガラスであることを特徴とする請求項５に記載の光を調節可能な装飾パネル。
【請求項７】
前記タッチパネルにおける下導電層（１１）が基板（１１A）と、該基板（１１A）の上面に設けられる導電膜（１１B）とからなることを特徴とする請求項５に記載の光を調節可能な装飾パネル。
【請求項８】
前記タッチパネルは、更にフレキシブル回路板（１４）を含み、該フレキシブル回路板（１４）の一端が前記上導電層（１２）と下導電層（１１）との間に設けられると共に、上導電層（１２）と下導電層（１１）における電極と電気接続されることを特徴とする請求項５乃至７のいずれか1項に記載の光を調節可能な装飾パネル。
【考案の詳細な説明】
【技術分野】
【０００１】
本考案は、特に液晶パネルを備えた電子製品に装着して使用するものであり、液晶パネルが待機状態または電源がOFF状態となった時に、回路パターンを隠すためのインク層とインク層が設けられていない可視領域とが同色に見えるように光を調節可能な装飾パネルに関するものである。
【背景技術】
【０００２】
一般に携帯電話など画像表示装置を備えた電子製品においては、画面をより綺麗に見せるために、該表示装置の基板の周縁に、基板における不可視領域（例えば、基板の回路パターンなど露出させる必要のない部分）を隠すためのインク層が設けられている。
【０００３】
しかしながら、電子製品が待機状態または電源がOFF状態となり、即ちバックライトが発光していない時には、インク層と該インク層に取り囲まれる画像可視領域が、自然光の照射により目視可能になることから、色の異なりにより使用者は容易に画像可視領域と画像不可視領域とを見分けることができるので、画面を美しくないと感じてしまう。
【０００４】
上記の欠点を解決するため、その後、電子製品における表示装置の上層部材の底面に鏡膜を設けた後にインク層を設ける構造が案出された。この構造によれば、鏡膜によって大部分の外光を反射させることができることから、表示画面のコントラストが低くなり、電源OFF状態において、画像可視領域とインク層との色の差が少なくなる。
【考案の概要】
【考案が解決しようとする課題】
【０００５】
しかしながら、前記従来の構造においては、該鏡膜は外光を反射させるだけでなく、同時にバックライトからの光も遮蔽してしまうことから、より高い発光輝度を提供できるバックライトが必要となるので、結果的により多くの電力を消費することになると共に、鏡膜による改善効果もあまりよくない。
【０００６】
そこで、案出されたのが本考案であって、インク層と該インク層に囲まれる可視領域との色が同一に見える、光を調節可能な装飾パネルを提供することを目的としている。
【課題を解決するための手段】
【０００７】
本願の請求項１の考案は、可視領域と不可視領域を有する表示装置の前方に設置される光を調節可能な装飾パネルであって、
支持部材（１０）と、該支持部材（１０）に設けられる偏光板（２０）と、該偏光板（２０）に設けられる装飾部材（３０）とを備え、
前記装飾部材（３０）の底面における、前記表示装置の不可視領域と対応する位置にインク層（３１）が設けられることを特徴とする光を調節可能な装飾パネル、を提供する。
【０００８】
本願の請求項２の考案は、前記装飾部材（３０）の上面に反射防止面が設けられることを特徴とする請求項１に記載の光を調節可能な装飾パネル、を提供する。
【０００９】
本願の請求項３の考案は、前記装飾部材（３０）の上面に設けられる反射防止面が反射防止コーティングであることを特徴とする請求項２に記載の光を調節可能な装飾パネル、を提供する。
【００１０】
本願の請求項４の考案は、更に前記装飾部材（３０）に設置される反射防止板（４０）を備えることを特徴とする請求項１に記載の光を調節可能な装飾パネル、を提供する。
【００１１】
本願の請求項５の考案は、前記支持部材（１０）は、上面の周縁部分に電極（１１０）が設けられる下導電層（１１）と、該下導電層（１１）の上方に設けられ、底面の周縁部分に電極（１２０）が設けられる上導電層（１２）と、該上導電層（１２）と下導電層（１１）との間に位置するスペース層（１３）とを含むタッチパネルであり、該上導電層（１２）は、前記偏光板（２０）の底面に設けられることを特徴とする請求項１乃至４のいずれか1項に記載の光を調節可能な装飾パネル、を提供する。
【００１２】
本願の請求項６の考案は、前記タッチパネルにおける下導電層（１１）が導電ガラスであることを特徴とする請求項５に記載の光を調節可能な装飾パネル、を提供する。
【００１３】
本願の請求項７の考案は、前記タッチパネルにおける下導電層（１１）が基板（１１A）と、該基板（１１A）の上面に設けられる導電膜（１１B）とからなることを特徴とする請求項５に記載の光を調節可能な装飾パネル、を提供する。
【００１４】
本願の請求項８の考案は、前記タッチパネルは、更にフレキシブル回路板（１４）を含み、該フレキシブル回路板（１４）の一端が前記上導電層（１２）と下導電層（１１）との間に設けられると共に、上導電層（１２）と下導電層（１１）における電極と電気接続されることを特徴とする請求項５乃至７のいずれか1項に記載の光を調節可能な装飾パネル、を提供する。
【考案の効果】
【００１５】
本考案は上記の課題を解決するものであり、本考案に係る光を調節可能な装飾パネルを電子製品における表示装置の前方に装着することにより、インク層で表示装置の不可視領域を隠すことができると共に、偏光板により外光を偏光させることができるので、電子製品におけるバックライトの電源がOFF状態になると、自然光の環境においては、装飾部材におけるインク層と該インク層が設けられていない領域との色が同一に見える。故に、使用者から見れば、画面の色は単一であることから、画面をより美しいと感じる。
【図面の簡単な説明】
【００１６】
【図１】本考案に係る光を調節可能な装飾パネルの第１実施例を示す分解斜視図である。
【図２】本考案に係る光を調節可能な装飾パネルの第１実施例を示す断面図である。
【図３】本考案に係る光を調節可能な装飾パネルの第２実施例を示す分解斜視図である。
【図４】本考案に係る光を調節可能な装飾パネルの第２実施例を示す断面図である。
【図５】本考案に係る光を調節可能な装飾パネルの第３実施例を示す断面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１は本考案に係る光を調節可能な装飾パネルの第１実施例を示す分解斜視図であり、図２は本考案に係る光を調節可能な装飾パネルの第１実施例を示す断面図であり、図３は本考案に係る光を調節可能な装飾パネルの第２実施例を示す分解斜視図であり、図４は本考案に係る光を調節可能な装飾パネルの第２実施例を示す断面図であり、図５は本考案に係る光を調節可能な装飾パネルの第３実施例を示す断面図である。
【００１９】
本考案に係る光を調節可能な装飾パネルは、画像可視領域と画像不可視領域を有する表示装置の前方に設置されて使用するものであり、図１及び図２に示すように、該装飾パネルは、支持部材（１０）と、偏光板（２０）と、装飾部材（３０）とを備えるものである。
前記支持部材（１０）は単なる基板であってもよいが、タッチコントロール機能を有するタッチパネルであってもよく、
前記偏光板（２０）は、前記支持部材（１０）に設置されて光の偏光を行うものであり、本実施例において用いられる偏光板（２０）は光学接着剤（１００）により支持部材（１０）に粘着されるものであり、
前記装飾部材（３０）は、前記偏光板（２０）に設けられ、その下面における、前記表示装置の画像不可視領域と対応する位置にインク層（３１）が設けられる。
【００２０】
また、本実施例においては、外光の反射を抑えるため、前記装飾部材（３０）に反射防止板（４０）を設ける、若しくは、装飾部材（３０）に反射防止処理を施すことにより、装飾部材（３０）の表面に反射防止面が形成される。尚、前記反射防止面は、反射防止コーティング膜であってもよい。
【００２１】
図３乃至図４に示すように、支持部材（１０）がタッチパネルである場合、該支持部材（１０）は、導電ガラスからなる下導電層（１１）と、上導電層（１２）と、スペース層（１３）とを含み、該下導電層（１１）の上面の周縁部分に電極（１１０）が設けられる。尚、本実施例においては、下導電層（１１）はITO導電ガラスであってもよいが、他の部材を採用してもよい。
また、図５に示すように、本考案の第３実施例においては、該下導電層（１１）は、基板（１１A）と、光学接着剤（１１１）により該基板（１１A）の上面に粘着される導電膜（１１B）とからなる。尚、前記基板（１１A）は、プラスチック基板やガラス基板、若しくは他の部材であってもよく、該導電膜（１１B）はITO導電膜、若しくは他の部材であってもよい。
【００２２】
前記上導電層（１２）は、下導電層（１１）の上方、且つ前記偏光板（２０）の下面に設けられ、また、前記上導電層（１２）の下表面の周縁部分には電極（１２０）が設けられる。本実施例においては、上導電層（１２）はITO導電膜であってもよいが、他の部材であってもよい。
【００２３】
前記スペース層（１３）は、複数のドットスペーサ（１３０）と、周縁に位置すると共に、該複数のドットスペーサ（１３０）を取り囲む両面テープ（１３１）とを有し、前記上導電層（１２）と下導電層（１１）との間に位置し、該両面テープ（１３１）は、上導電層（１２）と下導電層（１１）に粘着される。
【００２４】
更に、前記タッチパネルはフレキシブル回路板（１４）を含み、該フレキシブル回路板（１４）の一端は、前記上導電層（１２）と下導電層（１１）との間に設けられ、上導電層（１２）における電極（１２０）及び下導電層（１１）における電極（１１０）と電気接続される。
【００２５】
本考案に係る装飾パネルは、表示装置の前方に設置して使用するものであり、これにより、表示装置の周縁における回路パターンなどの画像不可視領域を前記インク層（３１）により隠せるので、外観をより美しく見せることができると共に、前記支持部材（１０）がタッチパネルである場合には、上導電層（１２）における電極（１２０）と下導電層（１１）における電極（１１０）とを同時にインク層（３１）により隠すことができる。
【００２６】
また、表示装置におけるバックライトが発光していない場合、前記偏光板（２０）によって外光の偏光を行うことにより、前記装飾部材（３０）のインク層（３１）のない領域は、自然光の環境においてインク層（３１）と同色に見える。例えば、該インク層（３１）が黒色である場合、装飾部材（３０）における、インク層（３１）により取り囲まれる領域も黒色に見える。即ち、インク層（３１）とインク層（３１）のない領域とは同色となるので、自然光の環境においては、使用者は可視領域と不可視領域とを見分けることができない。
【産業上の利用可能性】
【００２７】
本考案は上記の構成を有するので、自然光の環境においては、装飾部材におけるインク層が設けられていない領域は、インク層と同色に見える。したがって、本考案を備えた表示装置が待機状態または電源がOFF状態となった時、自然光の環境においては、画像可視領域と不可視領域とを見分けることができないことから、使用者が見た画面は同色となるので、画面をより美しいと感じる。
【符号の説明】
【００２８】
１０        支持部材
１００      光学接着剤
１１        下導電層
１１０      電極
１１A      基板
１１B      導電膜
１１１      光学接着剤
１２        上導電層
１２０      電極
１３        スペース層
１３０      ドットスペーサ
１３１      両面テープ
１４        フレキシブル回路板
２０        偏光板
３０        装飾部材
３１        インク層
４０        反射防止板
【図１】
0003152806.tif 000003
【図２】
0003152806.tif 000004
【図３】
0003152806.tif 000005
【図４】
0003152806.tif 000006
【図５】
0003152806.tif 000007